(57)【要約】【課題】カードの利用を駐車場料金に反映させるシステムにおけるユーザの利便性を向上する。【解決手段】第１識別情報と第２識別情報とを関連付けて記憶する記憶部と、駐車場に入場する車両の車載器から送信された前記第１識別情報を、料金算出装置から取得する識別情報取得部と、前記第１識別情報と、前記記憶部において前記第１識別情報と関連付けられている前記第２識別情報を有するカードを用いた決済に関する決済情報とを、前記料金算出装置に送信する送信部と、前記第１識別情報と、前記決済情報に基づいて算出された前記車両の駐車場料金を示す料金情報とを、前記料金算出装置から取得する料金情報取得部と、を備えることを特徴とする、情報処理装置。【選択図】図４
2018139040.tif 000002
【特許請求の範囲】
【請求項１】
第１識別情報と第２識別情報とを関連付けて記憶する記憶部と、
駐車場に入場する車両の車載器から送信された前記第１識別情報を、料金算出装置から取得する識別情報取得部と、
前記第１識別情報と、前記記憶部において前記第１識別情報と関連付けられている前記第２識別情報を有するカードを用いた決済に関する決済情報とを、前記料金算出装置に送信する送信部と、
前記第１識別情報と、前記決済情報に基づいて算出された前記車両の駐車場料金を示す料金情報とを、前記料金算出装置から取得する料金情報取得部と、
を備えることを特徴とする、情報処理装置。
【請求項２】
前記第１識別情報は、ＥＴＣカードの識別情報であることを特徴とする、請求項１に記載の情報処理装置。
【請求項３】
前記記憶部は、前記第１識別情報と前記第２識別情報と、さらに前記ＥＴＣカードの種類を示す種類情報とを関連付けて記憶し、
前記送信部は、前記記憶部において前記第１識別情報と関連付けられている前記種類情報を、前記料金算出装置にさらに送信することを特徴とする、請求項２に記載の情報処理装置。
【請求項４】
前記情報処理装置は、
前記第２識別情報および利用金額情報を含む利用情報を、店舗装置から取得する利用情報取得部をさらに備え、
前記送信部は、前記第１識別情報と、前記記憶部において前記第１識別情報と関連付けられている前記第２識別情報を含む前記利用情報に対応する前記決済情報とを、前記料金算出装置に送信する、請求項１〜３のいずれか一項に記載の情報処理装置。
【請求項５】
前記料金情報は、前記決済情報に基づいて決定された割引料金と、前記割引料金が適用される前の駐車場料金、または前記割引料金が適用された後の駐車場料金とを示す情報であることを特徴とする、請求項１〜４のいずれか一項に記載の情報処理装置。
【請求項６】
前記決済情報は、前記店舗装置の識別情報および前記店舗装置での前記利用金額情報を含み、
前記料金情報は、２以上の店舗装置での決済情報に基づいて決定された前記２以上の店舗装置の各々についての割引料金を示す情報であることを特徴とする、請求項４に記載の情報処理装置。
【請求項７】
前記送信部は、前記識別情報取得部により前記第１識別情報が取得された後、前記第１識別情報に関連付けられた前記第２識別情報を含む前記利用情報が前記利用情報取得部により取得されると、当該利用情報に対応する決済情報を前記料金算出装置に送信することを特徴とする、請求項４または６のいずれか一項に記載の情報処理装置。
【請求項８】
前記情報処理装置は、前記料金情報取得部により取得された前記料金情報に基づいて、前記車両の駐車場料金を決済する決済処理部をさらに備えることを特徴とする、請求項１〜７のいずれか一項に記載の情報処理装置。
【請求項９】
前記送信部は、前記料金情報により示される割引料金に基づいて前記店舗装置に課金情報を送信することを特徴とする、請求項４または６に記載の情報処理装置。
【請求項１０】
情報処理装置および料金算出装置を有する情報処理システムであって、
前記情報処理装置は、
第１識別情報と第２識別情報とを関連付けて記憶する記憶部、
駐車場に入場する車両の車載器から送信された前記第１識別情報を、料金算出装置から取得する識別情報取得部、および、
前記第１識別情報と、前記記憶部において前記第１識別情報と関連付けられている前記第２識別情報を有するカードを用いた決済に関する決済情報とを、前記料金算出装置に送信する第１の送信部、
を備え、
前記料金算出装置は、
前記第１識別情報と、前記決済情報に基づいて算出された駐車場料金を示す料金情報とを、前記情報処理装置に送信する第２の送信部、
を備えることを特徴とする、情報処理システム。
【請求項１１】
前記第１識別情報は、ＥＴＣカードの識別情報であることを特徴とする、請求項１０に記載の情報処理システム。
【請求項１２】
前記記憶部は、前記第１識別情報と前記第２識別情報と、さらに前記ＥＴＣカードの種類を示す種類情報とを関連付けて記憶し、
前記情報処理装置の前記第１の送信部は、前記記憶部において前記第１識別情報と関連付けている前記種類情報を、前記料金算出装置にさらに送信し、
前記料金算出装置は、
前記情報処理装置から送信された前記種類情報に応じたカードを用いて所定の店舗での支払に利用することを誘導する誘導情報を、前記車両の車載器に向けて送信する第３の送信部、
を備えることを特徴とする、請求項１１に記載の情報処理システム。
【請求項１３】
前記種類情報は、前記ＥＴＣカードが前記カードとしての機能を有するか否かを示す情報を含み、
前記第３の送信部は、
前記ＥＴＣカードが前記カードとしての機能を有さない場合、前記ＥＴＣカードに関連付けられたカードの利用を誘導する第１誘導情報を有する前記誘導情報を送信し、
前記ＥＴＣカードが前記カードとしての機能を有する場合、前記ＥＴＣカードの利用を誘導する第２誘導情報を有する前記誘導情報を送信する
ことを特徴とする、請求項１２に記載の情報処理システム。
【請求項１４】
前記情報処理装置は、前記第２識別情報および利用金額情報を含む利用情報を、店舗装置から取得する利用情報取得部をさらに備え、
前記第１の送信部は、前記第１識別情報と、前記記憶部において前記識別情報取得部により取得された前記第１識別情報と関連付けられている前記第２識別情報を含む前記利用情報に対応する前記決済情報とを、前記料金算出装置に送信し、
前記料金算出装置は、前記決済情報に基づき、前記駐車場料金についての割引料金を決定する割引決定部をさらに備えることを特徴とする、請求項１１〜１３のいずれか一項に記載の情報処理システム。
【請求項１５】
請求項１０〜１４のいずれか一項に記載の情報処理システムに適用可能な料金算出装置であって、
前記第１識別情報と、前記決済情報に基づいて算出された駐車場料金を示す料金情報とを、前記情報処理装置に送信する第２の送信部、を備えることを特徴とする、料金算出装置。
【請求項１６】
第１識別情報と第２識別情報とを関連付けて記憶する記憶部を有する情報処理装置における情報処理方法であって、
前記情報処理装置は、
駐車場に入場する車両の車載器から送信された前記第１識別情報を、料金算出装置から取得する識別情報取得ステップと、
前記第１識別情報と、前記記憶部において前記第１識別情報と関連付けられている前記第２識別情報を有するカードを用いた決済に関する決済情報とを、前記料金算出装置に送信する送信ステップと、
前記第１識別情報と、前記決済情報に基づいて算出された前記車両の駐車場料金を示す料金情報とを、前記料金算出装置から取得する料金情報取得ステップと、
を含むことを特徴とする、情報処理方法。
【請求項１７】
情報処理装置および料金算出装置を含む情報処理システムにおいて実行される情報処理方法であって、
前記情報処理装置は、
第１識別情報と第２識別情報とを関連付けて記憶する記憶部を備え、
前記情報処理装置は、
駐車場に入場する車両の車載器から送信された前記第１識別情報を、料金算出装置から取得する識別情報取得ステップと、
前記第１識別情報と、前記記憶部において前記第１識別情報に関連付けて記憶されている前記第２識別情報を有するカードを用いた決済に関する決済情報とを、前記料金算出装置に送信する第１の送信ステップとを有し、
前記料金算出装置は、
前記第１識別情報と、前記決済情報に基づいて算出された前記車両の駐車場料金を示す料金情報とを、前記情報処理装置に送信する第２の送信部ステップと、
を有することを特徴とする、情報処理方法。
【請求項１８】
請求項１０に記載の情報処理システムに適用可能な料金算出装置において実行される料金算出方法であって、
前記料金算出装置は、
前記第１識別情報と、前記決済情報に基づいて算出された駐車場料金を示す料金情報とを、前記情報処理装置に送信する第２の送信ステップ、を有することを特徴とする、料金算出方法。
【請求項１９】
コンピュータを、
第１識別情報と第２識別情報とを関連付けて記憶する記憶部、
駐車場に入場する車両の車載器から送信された前記第１識別情報を、料金算出装置から取得する識別情報取得部、
前記第１識別情報と、前記記憶部において前記第１識別情報と関連付けられている第２識別情報を有するカードを用いた決済に関する決済情報を前記料金算出装置に送信する送信部、
前記第１識別情報と、前記決済情報に基づいて算出された前記車両の駐車場料金を示す料金情報とを、前記料金算出装置から取得する料金情報取得部、
として機能させるための、プログラム。
【請求項２０】
コンピュータを、請求項１０に記載の情報処理システムに適用可能な料金算出装置として機能させるためのプログラムであって、
前記第１識別情報と、前記決済情報に基づいて算出された駐車場料金を示す料金情報とを、前記情報処理装置に送信する第２の送信部、として機能させることを特徴とする、プログラム。
【発明の詳細な説明】
【技術分野】
【０００１】
本発明は、情報処理装置、情報処理システム、料金算出装置、情報処理方法、料金算出方法およびプログラムに関する。
【背景技術】
【０００２】
近日、車両に搭載されるＥＴＣ（Electronic  Toll  Collection  System）車載器が広く普及している。ＥＴＣ車載器にはカードが挿入され、ＥＴＣ車載器は、カードの情報を高速道路に設けられたＥＴＣアンテナと通信することにより、高速道路の利用料金を処理することができる。
【０００３】
上記のＥＴＣ車載器は、駐車場における決済に応用されることも検討されている。例えば、下記の非特許文献１には、駐車場を利用するユーザがＩＣクレジットカードを用いて買物をすると、ＩＣクレジットカードに支払情報が書き込まれ、ユーザが駐車場を出る際にＩＣクレジットカードをＥＴＣ車載器に挿入すると、支払情報が送信され、当該支払情報に基づいて駐車場料金が割引されるシステムが開示されている。
【先行技術文献】
【非特許文献】
【０００４】
【非特許文献１】国土交通省国土技術政策総合研究所「次世代道路サービス提供システムに関する共同研究  報告書  添付資料2：多目的ICカードに関する検討資料  pp.28-43、[Online]、INTERNET、[２０１７年０２月１０日検索]，＜ＵＲＬ：http://www.nilim.go.jp/lab/bcg/siryou/tnn/tnn0319pdf/ks0319012.pdf＞
【発明の概要】
【発明が解決しようとする課題】
【０００５】
しかし、上記のシステムでは、車両の乗り降りの際にユーザがＩＣクレジットカードを抜き挿しする必要があった。また、現状では、ＥＴＣカードの主流は、ＥＴＣカード自体にはクレジット機能が設けられず、ＥＴＣカードにクレジットカードが紐付けられているクレジットカード分離型であり、ＥＴＣ車載器の通常の使用方法においては、ＥＴＣ車載器にはＥＴＣカードが挿入されている。このため、上記のシステムでは、駐車場の入退場の際にＥＴＣカードとＩＣクレジットカードを挿し換える必要もあった。
【０００６】
そこで、本発明は、上記問題に鑑みてなされたものであり、本発明の目的とするところは、カードの利用を駐車場料金に反映させるシステムにおけるユーザの利便性を向上することが可能な、新規かつ改良された情報処理装置、情報処理システム、料金算出装置、情報処理方法、料金算出方法およびプログラムを提供することにある。
【課題を解決するための手段】
【０００７】
上記課題を解決するために、本発明のある観点によれば、第１識別情報と第２識別情報とを関連付けて記憶する記憶部と、駐車場に入場する車両の車載器から送信された前記第１識別情報を、料金算出装置から取得する識別情報取得部と、前記第１識別情報と、前記記憶部において前記第１識別情報と関連付けられている前記第２識別情報を有するカードを用いた決済に関する決済情報とを、前記料金算出装置に送信する送信部と、前記第１識別情報と、前記決済情報に基づいて算出された前記車両の駐車場料金を示す料金情報とを、前記料金算出装置から取得する料金情報取得部と、を備えることを特徴とする、情報処理装置が提供される。
【０００８】
また、上記課題を解決するために、本発明の別の観点によれば、情報処理装置および料金算出装置を有する情報処理システムであって、前記情報処理装置は、第１識別情報と第２識別情報とを関連付けて記憶する記憶部、駐車場に入場する車両の車載器から送信された前記第１識別情報を、料金算出装置から取得する識別情報取得部、および、前記第１識別情報と、前記記憶部において前記第１識別情報と関連付けられている前記第２識別情報を有するカードを用いた決済に関する決済情報とを、前記料金算出装置に送信する第１の送信部、を備え、前記料金算出装置は、前記第１識別情報と、前記決済情報に基づいて算出された駐車場料金を示す料金情報とを、前記情報処理装置に送信する第２の送信部、を備えることを特徴とする、情報処理システムが提供される。さらにまた、上記課題を解決するために、本発明の別の観点によれば、前記情報処理システムに適用可能な料金算出装置であって、前記第１識別情報と、前記決済情報に基づいて算出された駐車場料金を示す料金情報とを、前記情報処理装置に送信する第２の送信部、を備えることを特徴とする、料金算出装置が提供される。
【０００９】
また、上記課題を解決するために、本発明の別の観点によれば、第１識別情報と第２識別情報とを関連付けて記憶する記憶部を有する情報処理装置における情報処理方法であって、前記情報処理装置は、駐車場に入場する車両の車載器から送信された前記第１識別情報を、料金算出装置から取得する識別情報取得ステップと、前記第１識別情報と、前記記憶部において前記第１識別情報と関連付けられている前記第２識別情報を有するカードを用いた決済に関する決済情報とを、前記料金算出装置に送信する送信ステップと、前記第１識別情報と、前記決済情報に基づいて算出された前記車両の駐車場料金を示す料金情報とを、前記料金算出装置から取得する料金情報取得ステップと、を含むことを特徴とする、情報処理方法が提供される。
【００１０】
また、上記課題を解決するために、本発明の別の観点によれば、情報処理装置および料金算出装置を含む情報処理システムにおいて実行される情報処理方法であって、前記情報処理装置は、第１識別情報と第２識別情報とを関連付けて記憶する記憶部を備え、前記情報処理装置は、駐車場に入場する車両の車載器から送信された前記第１識別情報を、料金算出装置から取得する識別情報取得ステップと、前記第１識別情報と、前記記憶部において前記第１識別情報に関連付けて記憶されている前記第２識別情報を有するカードを用いた決済に関する決済情報とを、前記料金算出装置に送信する第１の送信ステップとを有し、前記料金算出装置は、前記第１識別情報と、前記決済情報に基づいて算出された前記車両の駐車場料金を示す料金情報とを、前記情報処理装置に送信する第２の送信ステップと、を有することを特徴とする、情報処理方法が提供される。さらにまた、上記課題を解決するために、本発明の別の観点によれば、前記情報処理システムに適用可能な料金算出装置において実行される料金算出方法であって、前記料金算出装置は、前記第１識別情報と、前記決済情報に基づいて算出された駐車場料金を示す料金情報とを、前記情報処理装置に送信する第２の送信ステップ、を有することを特徴とする、料金算出方法が提供される。
【００１１】
また、上記課題を解決するために、本発明の別の観点によれば、コンピュータを、第１識別情報と第２識別情報とを関連付けて記憶する記憶部、駐車場に入場する車両の車載器から送信された前記第１識別情報を、料金算出装置から取得する識別情報取得部、前記第１識別情報と、前記記憶部において前記第１識別情報と関連付けられている第２識別情報を有するカードを用いた決済に関する決済情報を前記料金算出装置に送信する送信部、前記第１識別情報と、前記決済情報に基づいて算出された前記車両の駐車場料金を示す料金情報とを、前記料金算出装置から取得する料金情報取得部、として機能させるための、プログラムが提供される。さらにまた、上記課題を解決するために、本発明の別の観点によれば、コンピュータを、前記情報処理システムに適用可能な料金算出装置として機能させるためのプログラムであって、前記第１識別情報と、前記決済情報に基づいて算出された駐車場料金を示す料金情報とを、前記情報処理装置に送信する第２の送信部、として機能させることを特徴とする、プログラムが提供される。
【発明の効果】
【００１２】
以上説明したように本発明によれば、カードの利用を駐車場料金に反映させるシステムにおけるユーザの利便性を向上することが可能である。
【図面の簡単な説明】
【００１３】
【図１】本発明の実施形態による駐車場料金決済システムの構成を示す説明図である。
【図２】本発明の実施形態によるアプリケーションサーバの構成を示す説明図である。
【図３】アプリケーションサーバに記憶される情報の具体例を示す説明図である。
【図４】本発明の実施形態による決済サーバの構成を示す説明図である。
【図５】決済サーバに記憶される情報の具体例を示す説明図である。
【図６】車両が駐車場に入場する際の動作を示す説明図である。
【図７】店舗利用から駐車場からの退場までの処理を示す説明図である。
【図８】アプリケーションサーバのハードウェア構成を示したブロック図である。
【発明を実施するための形態】
【００１４】
以下に添付図面を参照しながら、本発明の実施の形態について詳細に説明する。なお、本明細書及び図面において、実質的に同一の機能構成を有する構成要素については、同一の符号を付することにより重複説明を省略する。
【００１５】
＜１．駐車場料金決済システムの構成＞
本発明の実施形態は、情報処理システムに関し、特に、駐車場の利用料金に、所定の提携店舗の利用に応じた割引を適用する駐車場料金決済システムに関する。以下、図１を参照し、本発明の実施形態による駐車場料金決済システムの構成を説明する。
【００１６】
図１は、本発明の実施形態による駐車場料金決済システムの構成を示す説明図である。図１に示したように、本発明の実施形態による駐車場料金決済システムは、車載器１２を搭載する車両１０と、アプリケーションサーバ２０と、決済サーバ３０と、駐車場管理装置４０と、提携店舗装置５０と、を含む。
【００１７】
駐車場管理装置４０は、駐車場への車両１０の入場および駐車場からの車両１０の退場を管理するための装置である。例えば、駐車場管理装置４０は、ＥＴＣ路側機、ゲートおよび管理サーバを含む。ＥＴＣ路側機は車両１０に搭載される車載器１２とＤＳＲＣ（Dedicated  Short  Range  Communications）を用いて、無線通信を行う。ゲートは、車両が駐車場を入退場する経路に配置され、管理サーバは、ＥＴＣ路側機と車載器１２との通信などに基づき、ゲートを開くための制御を行う。
【００１８】
また、駐車場管理装置４０は、アプリケーションサーバ２０と例えばネットワークを介して接続されており、車両１０の入場時刻、車両１０の退場時刻および車載器１２から受信されたＥＴＣカードＩＤなどをアプリケーションサーバ２０に送信する。
【００１９】
車載器１２は、駐車場管理装置４０と、ＤＳＲＣを用いて無線通信を行う。車載器１２にはＥＴＣカードを挿入可能であり、車載器１２は、車両１０が駐車場に入場する際、および車両１０が駐車場から退場する際に、ＥＴＣカードＩＤを、ＤＳＲＣを用いた無線通信により駐車場管理装置４０に送信する。このような車載器１２は、例えばＥＴＣ／ＥＴＣ２．０対応車載器であってもよい。
【００２０】
提携店舗装置５０は、車両１０が利用する駐車場の事業者と提携する提携店舗の装置である。提携店舗装置５０は、決済サーバ３０と例えばネットワークを介して接続される。提携店舗装置５０は、車両１０を利用するユーザがクレジットカードで提携店舗を利用すると、クレジットカードＩＤと、店舗ＩＤおよび利用金額情報を含む店舗利用情報を決済サーバ３０に送信する。ここで、提携店舗装置５０は、例えば、１台または複数台のＰＯＳ（point of sale system）端末、複数台のＰＯＳ端末と当該複数台のＰＯＳ端末を管理するＰＯＳ管理装置から構成される。
【００２１】
アプリケーションサーバ２０は、駐車場を利用するユーザによる提携店舗でのクレジットカードの利用に基づき、駐車場料金の割引料金を算出する料金算出装置の一例である。アプリケーションサーバ２０は、駐車場管理装置４０および決済サーバ３０と例えばネットワークを介して接続され、駐車場管理装置４０から車両１０の入退場に関する情報を受信し、駐車場を利用するユーザが提携店舗でクレジットカードを用いて行った支払に関する決済情報を、当該決済情報に関わるＥＴＣカードＩＤとともに、決済サーバ３０から受信する。アプリケーションサーバ２０は、決済情報に基づいて割引料金を決定し、決定した割引料金に基づく割引料金情報を駐車場管理装置４０に送信する（ここで、アプリケーションサーバ２０は、割引料金情報を、当該割引料金情報に関わるＥＴＣカードＩＤとともに、駐車場管理装置４０に送信してもよい）。アプリケーションサーバ２０は、駐車場管理装置４０から、割引料金が適用された後の駐車場料金を示す料金情報を、当該料金情報に関わるＥＴＣカードＩＤとともに、取得し、当該料金情報と当該ＥＴＣカードＩＤとを決済サーバ３０に送信する。
【００２２】
決済サーバ３０は、提携店舗装置５０およびアプリケーションサーバ２０と例えばネットワークを介して接続される情報処理装置である。決済サーバ３０は、クレジットカードＩＤとＥＴＣカードＩＤとを関連付けて記憶する。決済サーバ３０は、提携店舗での支払いに利用されたクレジットカードのクレジットカードＩＤと、店舗ＩＤおよび利用金額を含む店舗利用情報を提携店舗装置５０から受信する。また、決済サーバ３０は、提携店舗装置５０から受信された決済情報を、当該決済情報に関わるクレジットカードＩＤと関連付けされているＥＴＣカードＩＤとともに、アプリケーションサーバ２０に送信し、決済情報を用いて算出された駐車場料金を示す料金情報を、当該料金情報に関わるＥＴＣカードＩＤとともに、アプリケーションサーバ２０から受信する。決済サーバ３０は、料金情報と当該料金情報に関わるＥＴＣカードＩＤとに基づいて決済処理を実行する。
【００２３】
＜２．アプリケーションサーバの構成＞
以上、本発明の実施形態による駐車場料金決済システムの構成を説明した。続いて、図２を参照し、本発明の実施形態によるアプリケーションサーバ２０の構成を説明する。
【００２４】
図２は、本発明の実施形態によるアプリケーションサーバ２０の構成を示す説明図である。図２に示したように、本発明の実施形態によるアプリケーションサーバ２０は、通信部２２０と、記憶部２３０と、制御部２４０と、を備える。
【００２５】
（通信部）
通信部２２０は、駐車場管理装置４０および決済サーバ３０とのインタフェースであり、駐車場管理装置４０および決済サーバ３０と多様な情報を通信する。例えば、通信部２２０は、駐車場管理装置４０から、車両１０の入退場に関する情報を、車載器１２に挿入されたＥＴＣカードのＥＴＣカードＩＤと共に受信する。また、通信部２２０は、駐車場を利用するユーザが提携店舗でクレジットカードを用いて行った支払に関する決済情報を、当該決済情報に関わるＥＴＣカードＩＤとともに、決済サーバ３０から受信する。また、通信部２２０は、制御部２４０により決済情報に基づいて決定された割引料金が適用された駐車場料金を示す料金情報を、当該料金情報に関わるＥＴＣカードＩＤとともに、決済サーバ３０に送信する第２の送信部としての機能を有する。
【００２６】
（記憶部）
記憶部２３０は、制御部２４０が割引料金を決定するために参照する情報を記憶する。例えば、記憶部２３０は、図３に示すように、ＥＴＣカードＩＤ、ＥＴＣカードの有効／無効を示すＥＴＣカードの有効情報／無効情報、車両情報、入場時刻、退場時刻および店舗利用情報を関連付けて記憶する。車両情報は、ＷＣＮ（Wireless  Call  Number）のように車載器１２に関する情報を含んでもよい。ＥＴＣカードＩＤ、車両情報、入場時刻および退場時刻は、駐車場管理装置４０から受信される。店舗利用情報は、クレジットカードが支払に利用された提携店舗の店舗ＩＤおよび利用料金情報を含む。当該店舗利用情報は、決済サーバ３０からの決済情報（ＥＴＣカードＩＤおよび店舗利用情報）の受信に基づいて記憶される。
【００２７】
図３に示した例では、ＥＴＣカードＩＤがＸＸであるＥＴＣカードを利用するユーザは、ＥＴＣカードが有効で、駐車場を退場済みで、ＥＴＣカードＩＤがＹＹであるＥＴＣカードを利用するユーザは、ＥＴＣカードが有効で、駐車場を利用中である。また、図３では、ＥＴＣカードＩＤがＹＹであるＥＴＣカードを利用するユーザが、店舗ＩＤが「３」である提携店舗において、利用金額情報３に示される金額をクレジットカードで支払ったことが示されている。
【００２８】
（制御部）
制御部２４０は、アプリケーションサーバ２０の動作全般を制御する。例えば、制御部２４０は、駐車場管理装置４０から車両１０の入退場の際に受信されたＥＴＣカードＩＤを、通信部２２０から決済サーバ３０に送信させる。また、制御部２４０は、後述する割引決定部２４４により決定された割引料金が適用された駐車場料金を示す料金情報を、当該料金情報に関わるＥＴＣカードＩＤとともに、通信部２２０から決済サーバ３０に送信させる。
【００２９】
また、本実施形態による制御部２４０は、図２に示したように、誘導制御部２４２および割引決定部２４４の機能を有する。
【００３０】
誘導制御部２４２は、駐車場に入場した車両１０の車載器１２による誘導情報の出力を制御する。誘導情報は、提携店舗での支払方法を誘導する情報である。例えば、誘導制御部２４２は、車載器１２に挿入されているＥＴＣカードの種類に応じて、誘導情報の出力を制御する。
【００３１】
ＥＴＣカードの種類としては、分離型、一体型およびパーソナルカードなどが挙げられる。分離型のＥＴＣカードは、クレジット機能を有さず、クレジットカードに紐付けられるＥＴＣカードである。一体型のＥＴＣカードは、クレジット機能を有するＥＴＣカードである。パーソナルカードは、高速道路会社が発行する保証金預託方式のＥＴＣカードである。
【００３２】
分離型のＥＴＣカードおよび一体型のＥＴＣカードには、カード契約者本人にて利用される一般のＥＴＣカードの他に、法人カードおよび家族会員カードなどが含まれるが、本明細書においては、一般の分離型のＥＴＣカードを分離型のＥＴＣカードと称し、一般の一体型のＥＴＣカードを一体型のＥＴＣカードと称する。また、一体型のＥＴＣカードはクレジット機能を有することから、一体型のＥＴＣカードをクレジットカードと称する場合もある。なお、ＥＴＣカードの種類を示す情報は、決済サーバ３０へ送信されたＥＴＣカードＩＤに基づく照会結果として決済サーバ３０から受信される。
【００３３】
誘導制御部２４２は、車載器１２に挿入されたＥＴＣカードが分離型のＥＴＣカードである場合、提携店舗での支払に、当該ＥＴＣカードに紐付けられたクレジットカードを利用することを誘導する誘導情報を、通信部２２０から車両１０の車載器１２に向けて送信させる。当該誘導情報は、例えば、ＥＴＣカードに紐付けられたクレジットカードを利用することにより駐車場料金が割引されることを示すメッセージ情報を含んでもよい。かかる構成により、分離型のＥＴＣカードを利用するユーザが、当該ＥＴＣカードに紐付けられたクレジットカードを提携店舗において利用し、駐車場料金の割引の利益を得ることが期待される。
【００３４】
また、誘導制御部２４２は、車載器１２に挿入されたＥＴＣカードが一体型のＥＴＣカードである場合、提携店舗での支払に、当該ＥＴＣカードを利用することを誘導する誘導情報を、通信部２２０から車両１０の車載器１２に向けて送信させる。当該誘導情報は、例えば、当該ＥＴＣカードを利用することにより駐車場料金が割引されることを示すメッセージ情報を含んでもよい。かかる構成により、一体型のＥＴＣカードを利用するユーザが、当該当該ＥＴＣカードを提携店舗において利用し、駐車場料金の割引の利益を得ることが期待される。
【００３５】
なお、車載器１２は、アプリケーションサーバ２０から送信された誘導情報を、駐車場管理装置４０を介して受信し、受信した誘導情報を音声により出力してもよい。
【００３６】
割引決定部２４４は、車両１０が駐車場を退場する際に、車両１０の駐車場料金の割引料金を決定する。具体的には、割引決定部２４４は、記憶部２３０を参照し、店舗利用情報に基づいて割引料金を決定する。例えば、割引決定部２４４は、提携店舗での利用金額の合計金額に応じた金額、または時間分の料金に割引料金を決定してもよい。通信部２２０は、割引決定部２４４により決定された割引料金を駐車場管理装置４０に送信し、駐車場管理装置４０から割引料金が適用された後の駐車場料金を示す料金情報を取得し、当該料金情報を決済サーバ３０に送信する。料金情報は、正規の駐車場料金を示す情報および割引料金を示す情報を含んでもよいし、割引料金が差し引かれた後の駐車場料金を示す情報および割引料金を示す情報が含まれてもよい。割引料金を示す情報は、提携店舗への課金に用いられ得るが、提携店舗への課金が行われない場合、料金情報は割引料金を示す情報を含まなくてもよい。
【００３７】
＜３．決済サーバの構成＞
以上、本発明の実施形態によるアプリケーションサーバ２０の構成を説明した。続いて、図４を参照し、本発明の実施形態による決済サーバ３０の構成を説明する。
【００３８】
図４は、本発明の実施形態による決済サーバ３０の構成を示す説明図である。図４に示したように、本発明の実施形態による決済サーバ３０は、通信部３２０と、記憶部３３０と、制御部３４０と、を備える。
【００３９】
（通信部）
通信部３２０は、提携店舗装置５０およびアプリケーションサーバ２０とのインタフェースであり、提携店舗装置５０およびアプリケーションサーバ２０と多様な情報を通信する。例えば、通信部３２０は、提携店舗装置５０からクレジットカードＩＤおよび店舗利用情報を受信する利用情報取得部、アプリケーションサーバ２０から、識別情報としてＥＴＣカードＩＤを受信する識別情報取得部、アプリケーションサーバ２０から車両１０の駐車場料金を示す料金情報を受信する料金情報取得部、としての機能を有する。また、通信部３２０は、提携店舗装置５０から受信された店舗利用情報を含む決済情報をアプリケーションサーバ２０に送信する送信部としての機能も有する。
【００４０】
（記憶部）
記憶部３３０は、アプリケーションサーバ２０における割引料金の決定のための情報を記憶する。記憶部３３０は、１または２以上のＥＴＣカードＩＤ、および１または２以上のＥＴＣカードＩＤの各々と関連付けられたクレジットカードＩＤ（クレジットカードの識別情報）を記憶する。例えば、記憶部３３０は、図５に示したように、クレジットカードＩＤ、ＥＴＣカードＩＤ、ＥＴＣカード種類、駐車場利用状況および店舗利用情報を関連付けて記憶する。図５に示した例では、ＥＴＣカードＩＤ「ＸＸ」を有するＥＴＣカードは、クレジットカードＩＤ１を有するクレジットカードに紐付けられ、分離型である。また、ＥＴＣカードＩＤ「ＹＹ」を有するＥＴＣカードは、クレジットカードＩＤ２を有するクレジットカードに紐付けられ、一体型である。なお、一体型のＥＴＣカードにおいては、ＥＴＣカードＩＤとクレジットカードＩＤは同一であってもよいし、異なってもよい。
【００４１】
（制御部）
制御部３４０は、決済サーバ３０の動作全般を制御する。例えば、制御部３４０は、記憶部３３０による情報の記憶、および通信部３２０とアプリケーションサーバ２０または提携店舗装置５０との通信を制御する。
【００４２】
例えば、制御部３４０は、駐車場に進入した車両１０の車載器１２から送信されたＥＴＣカードＩＤを通信部３２０を介してアプリケーションサーバ２０から受信すると、記憶部３３０において当該ＥＴＣカードＩＤと関連付けられている種類を示す種類情報を通信部３２０を介してアプリケーションサーバ２０に送信する。
【００４３】
また、制御部３４０は、クレジットカードＩＤおよび店舗利用情報を、通信部３２０を介して提携店舗装置５０から受信する。
また、制御部３４０は、車両１０が駐車場から退場する際にＥＴＣカードＩＤを通信部３２０を介してアプリケーションサーバ２０から受信すると、記憶部３３０において当該ＥＴＣカードＩＤに関連付けられている店舗利用情報を抽出し、当該ＥＴＣカードＩＤおよび店舗利用情報を含む決済情報を通信部３２０を介してアプリケーションサーバ２０に送信する。
【００４４】
また、本実施形態による制御部３４０は、図４に示したように、決済処理部３４２および課金処理部３４４の機能を有する。
【００４５】
決済処理部３４２は、アプリケーションサーバ２０から通信部３２０を介して受信した料金情報と、当該料金情報に関わるＥＴＣカードＩＤに従って、車両１０の駐車場利用に対する決済処理を実行する。
【００４６】
課金処理部３４４は、料金情報に含まれる割引料金の課金に関する処理を行う。例えば、課金処理部３４４は、通信部３２０に、料金情報に含まれる割引料金の情報（課金情報）を、通信部３２０を介して料金情報に含まれる店舗ＩＤに対応する店舗の提携店舗装置５０に送信してもよい。なお、料金情報は店舗ＩＤに代えてＥＴＣカードＩＤを含んでもよく、この場合、課金処理部３４４は、記憶部３３０を参照して料金情報にかかる店舗ＩＤを特定してもよい。また、利用された提携店舗が複数存在する場合、課金処理部３４４は、割引料金を均等に分割してもよいし、各提携店舗での利用金額に応じて割引料金を分割してもよい。
【００４７】
＜４．動作＞
以上、本発明の実施形態の構成を説明した。続いて、図６および図７を参照して、本発明の実施形態の動作を整理する。
【００４８】
（入場時の動作）
図６は、車両１０が駐車場に入場する際の動作を示す説明図である。まず、ユーザが車両１０に乗って駐車場に到着すると、駐車場管理装置４０のＥＴＣ路側機が、車両１０の車載器１２から送信された車載器１２に挿入されているＥＴＣカードのＥＴＣカードＩＤおよび車両情報を、ＤＳＲＣを用いた無線通信により受信する（Ｓ３０４）。そして、駐車場管理装置４０の管理サーバは、ＥＴＣ路側機により受信されたＥＴＣカードＩＤ、車両情報に加え、入場時刻をアプリケーションサーバ２０に送信する（Ｓ３０８）。
【００４９】
アプリケーションサーバ２０は、駐車場管理装置４０から受信したＥＴＣカードＩＤを決済サーバ３０に照会し（Ｓ３１２）、決済サーバ３０からＥＴＣカードＩＤの照会結果を受信する（Ｓ３１６）。ここで、照会結果は、ＥＴＣカードＩＤに対応するＥＴＣカードの種類情報を含む。またここで、決済サーバ３０は、アプリケーションサーバ２０からＥＴＣカードＩＤの照会について処理する際、記憶部３３０を参照する。
【００５０】
アプリケーションサーバ２０は、ＥＴＣカードＩＤに対応するＥＴＣカードが有効であるか否かの情報について、記憶部２３０を参照する。
そして、ＥＴＣカードＩＤに対応するＥＴＣカードが有効でない場合（Ｓ３２０／ｎｏ）、アプリケーションサーバ２０は、駐車券の発券を駐車場管理装置４０に指示する（Ｓ３２４）。この場合、駐車券に基づく通常の料金精算が行われ、提携店舗の利用による割引は適用されない。ここで、ＥＴＣカードＩＤに対応するＥＴＣカードが有効ではない場合とは、アプリケーションサーバ２０において、当該ＥＴＣカードＩＤに対応するＥＴＣカードが無効である、または当該ＥＴＣカードＩＤが記憶部２３０に記憶されていない等の場合である。一方、ＥＴＣカードＩＤに対応するＥＴＣカードが有効である場合、アプリケーションサーバ２０は、ＥＴＣカードＩＤ、車両情報および入場時刻を関連付けて記憶部２３０に記憶する（Ｓ３２８）。
【００５１】
その後、アプリケーションサーバ２０は、ＥＴＣカードの種類に応じた処理を行う。具体的には、ＥＴＣカードの種類が分離型でも一体型でもない場合（Ｓ３３２／ｎｏ）、アプリケーションサーバ２０は、駐車券の発券を駐車場管理装置４０に指示する（ここで、アプリケーションサーバ２０は、駐車券の発券を駐車場管理装置４０に指示するとともに、当該指示関わるＥＴＣカードＩＤを送信してもよい）（Ｓ３３６）。この場合、駐車券に基づく通常の料金精算が行われ、提携店舗の利用により割引は適用されない。なお、分離型でも一体型でもないＥＴＣカードであっても、提携店舗の利用により割引が適用されるＥＴＣカードがあってもよい。
【００５２】
一方、ＥＴＣカードの種類が分離型または一体型である場合（Ｓ３３２／ｙｅｓ）、アプリケーションサーバ２０は、駐車場管理装置４０にゲートを開放するための指示および誘導情報を送信する（ここで、アプリケーションサーバ２０は、駐車場管理装置４０にゲートを開放するための指示および誘導情報を、当該指示および誘導情報に関わるＥＴＣカードＩＤとともに送信してもよい）（Ｓ３４０）。ここで、ＥＴＣカードの種類が分離型である場合の誘導情報は当該ＥＴＣカードに紐付けられたクレジットカードを利用することにより駐車場料金が割引されることを示すメッセージ情報を含み、ＥＴＣカードの種類が一体型である場合の誘導情報は当該ＥＴＣカードを利用することにより駐車場料金が割引されることを示すメッセージ情報を含んでもよい。
【００５３】
駐車場管理装置４０は、アプリケーションサーバ２０からのゲートを開放するための指示に応じてゲートを開き（Ｓ３４４）、誘導情報を車載器１２に送信する（Ｓ３４８）。車載器１２は、受信した誘導情報を出力する（Ｓ３５２）。その後、ユーザは車両１０を停車させた後、車両１０から降りる。
【００５４】
図７は、店舗利用から駐車場からの退場までの処理を示す説明図である。図７に示したように、車両１０を駐車場に停車させたユーザがクレジットカードを利用して提携店舗で支払を行うと（Ｓ４０４）、提携店舗装置５０は、クレジットカードのクレジットカードＩＤおよび店舗利用情報を決済サーバ３０に送信する（Ｓ４０８）。ここで、ＥＴＣカードの種類が分離型である場合には上記クレジットカードはＥＴＣカードに紐付けられたクレジットカードであり、ＥＴＣカードの種類が一体型である場合には上記クレジットカードはＥＴＣカードでもある。決済サーバ３０は、提携店舗装置５０から受信された店舗利用情報を、当該店舗利用情報に関わるクレジットカードＩＤと関連付けて記憶部３３０に記憶する（Ｓ４１２）。なお、Ｓ４０４〜Ｓ４１２の処理は、ユーザが提携店舗を利用する度に繰り返される。
【００５５】
その後、車両１０に戻ったユーザが駐車場から退場しようとすると、駐車場管理装置４０のＥＴＣ路側機が、車両１０の車載器１２から送信されたＥＴＣカードＩＤおよび車両情報を、ＤＳＲＣを用いた無線通信により受信する（Ｓ４１６）。そして、駐車場管理装置４０の管理サーバは、精算要求として、ＥＴＣ路側機により受信されたＥＴＣカードＩＤ、車両情報に加え、退場時刻をアプリケーションサーバ２０に送信する（Ｓ４２０）。
【００５６】
アプリケーションサーバ２０は、駐車場管理装置４０から受信したＥＴＣカードＩＤを決済サーバ３０に送信する（Ｓ４２４）。決済サーバ３０は、記憶部３３０を参照し、ＥＴＣカードＩＤに関連付けられている店舗利用情報を含む決済情報を、当該ＥＴＣカードＩＤとともに、アプリケーションサーバ２０に送信する（Ｓ４２８）。
【００５７】
アプリケーションサーバ２０は、決済情報とＥＴＣカードＩＤとに基づいて割引料金を決定し（Ｓ４３２）、割引料金の情報を駐車場管理装置４０に送信する（ここで、アプリケーションサーバ２０は、割引料金の情報を、当該割引料金の情報に関わるＥＴＣカードＩＤとともに、駐車場管理装置４０に送信してもよい）（Ｓ４３６）。駐車場管理装置４０の管理サーバは、アプリケーションサーバ２０から受信した割引料金の情報に基づいて、正規の駐車場料金から割引料金を差し引くことにより、ＥＴＣカードＩＤに関わる駐車場料金を算出する（Ｓ４４０）。
【００５８】
そして、駐車場管理装置４０のＥＴＣ路側機が駐車場料金を示す料金情報を車載器１２に送信し（Ｓ４４４）、車載器１２が料金情報を出力する（Ｓ４４８）。また、駐車場管理装置４０がゲートを開くことにより（Ｓ４５２）、車両１０が駐車場から退場する。
【００５９】
また、駐車場管理装置４０は、料金情報を、当該料金情報に関わるＥＴＣカードＩＤとともに、アプリケーションサーバ２０に送信する（Ｓ４５６）。ここで、料金情報は、駐車場料金の情報を含む情報である。
アプリケーションサーバ２０は、料金情報と当該料金情報に関わるＥＴＣカードＩＤとを駐車場管理装置４０から受信すると、アプリケーションサーバ２０は、料金情報を、当該料金情報に関わるＥＴＣカードＩＤとともに、決済サーバ３０に送信する（Ｓ４６０）。ここで、料金情報は、割引料金の情報と割引料金に基づく割引後の駐車場料金の情報を含む情報、または割引料金の情報と駐車場料金の情報を含む情報である。
決済サーバ３０は、料金情報と当該料金情報に関わるＥＴＣカードＩＤとをアプリケーションサーバ２０から受信すると、記憶部３３０を参照して、料金情報に含まれる割引料金の情報に基づき、提携店舗装置５０に課金情報を送信する（ここで、決済サーバ３０は、提携店舗装置５０に課金情報を、当該課金情報に関わるクレジットカードＩＤとともに送信してもよい）（Ｓ４６４）。また、決済サーバ３０は、記憶部３３０を参照して、料金情報に従って、車両１０の駐車場利用に対する決済処理を実行する（Ｓ４６８）。
【００６０】
＜５．効果＞
以上説明したように、本発明の実施形態によれば、分離型のＥＴＣカードを利用するユーザは、ＥＴＣカードを車載器１２に挿入したままで、ＥＴＣカードに紐付けられたクレジットカードを提携店舗での支払に利用することにより、駐車場料金の割引の利益を得ることができる。この際、車載器１２からのカードの抜き差しが不要であるので、ＩＣクレジットカードに支払情報を書込む方法と比較してユーザの利便性を向上することが可能である。また、駐車場管理装置４０においては、駐車券の発券および現金管理などの負担が軽減される。さらに、提携店舗における駐車券の割引処理にかかる手間を軽減することも可能である。
【００６１】
一方、一体型のＥＴＣカードを利用するユーザは、駐車場に停めた車両１０の乗り降りの際にＥＴＣカードの抜き差しを伴うことになる。しかし、ＩＣクレジットカードに支払情報を書込む方法では駐車場を入退場する際にＥＴＣカードとＩＣクレジットカードの差し替えが必要になるところ、本発明の実施形態によれば、駐車場を入退場する際の一体型のＥＴＣカードの抜き差しが不要である。従って、本実施形態によれば、一体型のＥＴＣカードを利用するユーザの利便性を向上することも可能である。
【００６２】
＜６．応用例＞
以上、本発明の実施形態を説明した。以下では、本発明の実施形態の幾つかの応用例を説明する。なお、以下に説明する各応用例は、単独で本発明の実施形態に適用されてもよいし、組み合わせで本発明の実施形態に適用されてもよい。また、各応用例は、本発明の実施形態で説明した構成に代えて適用されてもよいし、本発明の実施形態で説明した構成に対して追加的に適用されてもよい。
【００６３】
（第１の応用例）
上記の実施形態では、ユーザが駐車場を退場する際に決済サーバ３０から決済情報が送信される例を説明したが、決済サーバ３０は、提携店舗装置５０からクレジットカードの利用情報、すなわち、クレジットカードＩＤおよび店舗利用情報が受信される度に、決済情報をアプリケーションサーバ２０に送信してもよい。
【００６４】
かかる構成によれば、アプリケーションサーバ２０は、ユーザが駐車場を退場する前に、ユーザがその時点の駐車場料金を例えば携帯端末から問い合わせた場合に、アプリケーションサーバ２０がその時点での割引料金を決定することにより、ユーザからの問い合わせに応答することが可能となる。なお、アプリケーションサーバ２０は、ユーザからの問い合わせを受けてから決済サーバ３０に決済情報を要求することによりその時点での割引料金を決定することも可能であるが、決済サーバ３０から決済情報を随時受信することにより、ユーザからの問い合わせに対する応答性を向上することが可能である。
【００６５】
同様に、決済サーバ３０から決済情報を随時受信することにより、ユーザが駐車場を退場する際に決済サーバ３０から決済情報を受信することが必須では無くなるので、ユーザが駐車場を退場する際の駐車場料金の算出の応答性を向上することも可能である。
【００６６】
（第２の応用例）
図５に示したように、ユーザは、複数の提携店舗でクレジットカードを支払に利用する場合がある。その場合、駐車場料金の割引料金を複数の提携店舗の各々が適切に負担することが望まれる。
【００６７】
このため、アプリケーションサーバ２０の割引決定部２４４は、各提携店舗での利用金額の情報に基づき、各提携店舗についての割引料金の情報を決定してもよい。例えば、割引決定部２４４は、全体の割引料金を、各提携店舗での利用金額に応じた重みで分割してもよい。この場合、アプリケーションサーバ２０は、各提携店舗について決定された割引料金を含む料金情報を決済サーバ３０に送信する。決済サーバ３０の課金処理部３４４は、各提携店舗について決定された割引料金に基づき、各提携店舗への課金処理を行うことが可能となる。なお、割引決定部２４４は、各提携店舗での利用金額に関係なく、全体の割引料金を均等に分割してもよい。
【００６８】
＜７．ハードウェア構成＞
以上、本発明の実施形態を説明した。上述した割引料金の決定や各種情報の通信制御などの情報処理は、ソフトウェアと、以下に説明するアプリケーションサーバ２０のハードウェアとの協働により実現される。
【００６９】
図８は、アプリケーションサーバ２０のハードウェア構成を示したブロック図である。アプリケーションサーバ２０は、ＣＰＵ（Ｃｅｎｔｒａｌ  Ｐｒｏｃｅｓｓｉｎｇ  Ｕｎｉｔ）２０１と、ＲＯＭ（Ｒｅａｄ  Ｏｎｌｙ  Ｍｅｍｏｒｙ）２０２と、ＲＡＭ（Ｒａｎｄｏｍ  Ａｃｃｅｓｓ  Ｍｅｍｏｒｙ）２０３と、ホストバス２０４と、を備える。また、アプリケーションサーバ２０は、ブリッジ２０５と、外部バス２０６と、インタフェース２０７と、入力装置２０８と、表示装置２０９と、音声出力装置２１０と、ストレージ装置（ＨＤＤ）２１１と、ドライブ２１２と、ネットワークインタフェース２１５とを備える。
【００７０】
ＣＰＵ２０１は、演算処理装置および制御装置として機能し、各種プログラムに従ってアプリケーションサーバ２０内の動作全般を制御する。また、ＣＰＵ２０１は、マイクロプロセッサであってもよい。ＲＯＭ２０２は、ＣＰＵ２０１が使用するプログラムや演算パラメータ等を記憶する。ＲＡＭ２０３は、ＣＰＵ２０１の実行において使用するプログラムや、その実行において適宜変化するパラメータ等を一時記憶する。これらはＣＰＵバスなどから構成されるホストバス２０４により相互に接続されている。ＣＰＵ２０１、ＲＯＭ２０２およびＲＡＭ２０３は、ソフトウェアとの協働により図２を参照して説明した制御部２４０の機能を実現し得る。
【００７１】
ホストバス２０４は、ブリッジ２０５を介して、ＰＣＩ（Ｐｅｒｉｐｈｅｒａｌ  Ｃｏｍｐｏｎｅｎｔ  Ｉｎｔｅｒｃｏｎｎｅｃｔ／Ｉｎｔｅｒｆａｃｅ）バスなどの外部バス２０６に接続されている。なお、必ずしもホストバス２０４、ブリッジ２０５および外部バス２０６を分離構成する必要はなく、１つのバスにこれらの機能を実装してもよい。
【００７２】
入力装置２０８は、マウス、キーボード、タッチパネル、ボタン、マイクロフォン、センサー、スイッチおよびレバーなどユーザが情報を入力するための入力手段と、ユーザによる入力に基づいて入力信号を生成し、ＣＰＵ２０１に出力する入力制御回路などから構成されている。アプリケーションサーバ２０のユーザは、該入力装置２０８を操作することにより、アプリケーションサーバ２０に対して各種のデータを入力したり処理動作を指示したりすることができる。
【００７３】
表示装置２０９は、例えば、ＣＲＴ（Ｃａｔｈｏｄｅ  Ｒａｙ  Ｔｕｂｅ）ディスプレイ装置、液晶ディスプレイ（ＬＣＤ）装置、プロジェクター装置、ＯＬＥＤ（Ｏｒｇａｎｉｃ  Ｌｉｇｈｔ  Ｅｍｉｔｔｉｎｇ  Ｄｉｏｄｅ）装置およびランプなどの表示装置を含む。また、音声出力装置２１０は、スピーカおよびヘッドホンなどの音声出力装置を含む。
【００７４】
ストレージ装置２１１は、本実施形態にかかるアプリケーションサーバ２０の記憶部２３０の一例として構成されたデータ格納用の装置である。ストレージ装置２１１は、記憶媒体、記憶媒体にデータを記録する記録装置、記憶媒体からデータを読み出す読出し装置および記憶媒体に記録されたデータを削除する削除装置などを含んでもよい。ストレージ装置２１１は、例えば、ＨＤＤ（Ｈａｒｄ  Ｄｉｓｋ  Ｄｒｉｖｅ）またはＳＳＤ（Ｓｏｌｉｄ  Ｓｔｒａｇｅ  Ｄｒｉｖｅ）で構成される。このストレージ装置２１１は、ハードディスクを駆動し、ＣＰＵ２０１が実行するプログラムや各種データを格納する。
【００７５】
ドライブ２１２は、記憶媒体用リーダライタであり、アプリケーションサーバ２０に内蔵、あるいは外付けされる。ドライブ２１２は、装着されている磁気ディスク、光ディスク、光磁気ディスク、または半導体メモリ等のリムーバブル記憶媒体２４に記録されている情報を読み出して、ＲＡＭ２０３またはストレージ装置２１１に出力する。また、ドライブ２１２は、リムーバブル記憶媒体２４に情報を書き込むこともできる。
【００７６】
ネットワークインタフェース２１５は、例えば、ネットワークに接続するための通信デバイス等で構成された通信インタフェースである。また、ネットワークインタフェース２１５は、無線ＬＡＮ（Ｌｏｃａｌ  Ａｒｅａ  Ｎｅｔｗｏｒｋ）対応通信装置であっても、有線による通信を行うワイヤー通信装置であってもよい。
【００７７】
決済サーバ３０も、上述したハードウェア構成を有してもよく、当該ハードウェア構成におけるＣＰＵ２０１、ＲＯＭ２０２およびＲＡＭ２０３は、ソフトウェアとの協働により決済サーバ３０の制御部３４０の機能が実現され得る。
【００７８】
＜８．むすび＞
以上説明したように、本発明の実施形態によれば、決済サーバ３０がＥＴＣカードＩＤとクレジットカードＩＤを関連付けて記憶する。このため、あるユーザが提携店舗でクレジットカードを利用した場合、当該クレジットカードの利用情報を、当該ユーザの駐車場の入退場の管理に用いられるＥＴＣカードＩＤと紐付けることが可能となる。従って、本発明の実施形態によれば、あるユーザによる提携店舗でのクレジットカードの利用を、当該ユーザについての駐車場料金の割引に反映させることが可能である。
【００７９】
なお、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【００８０】
例えば、図１においては、駐車場料金決済システムにアプリケーションサーバ２０、決済サーバ３０、駐車場管理装置４０および提携店舗装置５０などの構成が含まれる例を説明したが、これらのうちの２以上の構成は統合されてもよい。例えば、決済サーバ３０にアプリケーションサーバ２０の機能が包含されてもよい。
【００８１】
また、上記では、アプリケーションサーバ２０と決済サーバ３０の間でＥＴＣカードＩＤが通信される例を説明したが、ＥＴＣカードＩＤに代えて他の情報がアプリケーションサーバ２０と決済サーバ３０の間で通信されてもよい。上記他の情報は、ＥＴＣカードＩＤに基づいて得られる情報であってもよく、例えば、ＥＴＣカードＩＤのハッシュ値であってもよい。また、上記他の情報は、ＷＣＮであってもよいし、車両１０または車載器１２に固有な情報であってもよい。
【００８２】
また、本明細書の駐車場料金決済システムの処理における各ステップは、必ずしもシーケンス図として記載された順序に沿って時系列に処理する必要はない。例えば、駐車場料金決済システムの処理における各ステップは、フローチャートとして記載した順序と異なる順序で処理されても、並列的に処理されてもよい。
【００８３】
また、アプリケーションサーバ２０および決済サーバ３０に内蔵されるＣＰＵ、ＲＯＭおよびＲＡＭなどのハードウェアに、上述したアプリケーションサーバ２０および決済サーバ３０の各構成と同等の機能を発揮させるためのコンピュータプログラムも作成可能である。また、該コンピュータプログラムを記憶させた記憶媒体も提供される。
【符号の説明】
【００８４】
１０  車両
１２  車載器
２０  アプリケーションサーバ
３０  決済サーバ
４０  駐車場管理装置
２２０  通信部
２３０  記憶部
２４０  制御部
２４２  誘導制御部
２４４  割引決定部
３２０  通信部
３３０  記憶部
３４０  制御部
３４２  決済処理部
３４４  課金処理部  
【図１】
2018139040.tif 000003
【図２】
2018139040.tif 000004
【図３】
2018139040.tif 000005
【図４】
2018139040.tif 000006
【図５】
2018139040.tif 000007
【図６】
2018139040.tif 000008
【図７】
2018139040.tif 000009
【図８】
2018139040.tif 000010